(57)【特許請求の範囲】
【請求項１】
後部に作業機を接続するための接続部と該作業機にエンジン動力を伝達するためのＰＴＯ軸とを備えたトラクタの当該トラクタの後部に作業機の１つとして接続される除雪装置であって、
回転させられて雪を集約するオーガと、該オーガの回転主軸を回転可能に軸支するとともに該オーガの回転主軸に直交する水平軸方向の一方側を露出させ他方側を覆うオーガケースと、該オーガケースに設けられ上記オーガによって集約された雪を回転させられて排出するブロアと、上記オーガケースに設けられ上記トラクタのＰＴＯ軸に連結させられて該ＰＴＯ軸の回転を上記オーガの回転主軸及びブロアのブロア軸に伝動するための連結部とを備えた除雪装置において、
上記連結部を上記オーガケースのオーガ側に設け、上記オーガケースのオーガ側に上記トラクタの接続部に接続される接続体を設けたことを特徴とする除雪装置。
【請求項２】
後部に作業機をリンクを介して接続するための接続部と該作業機にエンジン動力を伝達するためのＰＴＯ軸とを備えたトラクタの当該トラクタの後部に作業機の１つとして接続される除雪装置であって、
上記トラクタの幅方向に沿う回転主軸の中央を境として左右に螺旋状の一方ブレード及び他方ブレードを夫々該回転主軸に固定し一方向に回転させられて雪を該回転主軸の中央に集約するオーガと、該オーガの回転主軸の両端を回転可能に軸支するとともに該回転主軸に直交する水平軸方向の一方側を露出させ他方側を覆うオーガケースと、該オーガケースに設けられ上記オーガの回転主軸の中央に対応した部位に開口し雪を吸入する吸入口及び排出口を有したガイド通路と、該ガイド通路の吸入口内に回転可能に設けられ集約された雪を該吸入口から吸入して上記排出口から排出させるブロアと、上記オーガケースに設けられ上記トラクタのＰＴＯ軸に連結させられて該ＰＴＯ軸の回転を上記オーガの回転主軸及びブロアのブロア軸に伝動するための連結部とを備えた除雪装置において、
上記連結部を上記オーガケースのオーガ側に設け、該連結部を、上記オーガの一方ブレード及び他方ブレードの間を横断して設けられ一端が上記ブロアのブロア軸に接続され他端が上記ＰＴＯ軸に接続される連結軸を備えて構成し、上記オーガケースの外側に上記ブロアのブロア軸の回転を上記オーガの回転主軸に伝動する回転伝動機構を設け、上記オーガケースのオーガ側に上記トラクタの接続部にリンクを介して接続される接続体を設けたことを特徴とする除雪装置。
【請求項３】
上記トラクタの接続部は、ＰＴＯ軸の上部，左部及び右部に設けられ、上記接続体を、上記オーガケースからオーガ側に突設するフレームで構成し、該接続体に上記各接続部に対応したリンクの取付部を設けたことを特徴とする請求項２記載の除雪装置。
【請求項４】
上記接続体に、上記連結軸を軸支する軸受部を設けたことを特徴とする請求項３記載の除雪装置。
【請求項５】
上記トラクタの前部に取り付けられ、該トラクタの前進時に該トラクタの前輪の前方にある雪をトラクタの車幅方向中央側に掻き寄せる掻き寄せ板を設けたことを特徴とする請求項１乃至４何れかに記載の除雪装置。
【発明の詳細な説明】
【技術分野】
【０００１】
本発明は、トラクタに接続される作業機の１つである除雪装置に係り、特に、トラクタの後部に設けられたエンジン動力を伝達するためのＰＴＯ軸から動力を得て除雪を行う除雪装置に関する。
【背景技術】
【０００２】
一般に、図５に示すように、トラクタＴは、後部に作業機を接続するための接続部１と作業機にエンジン動力を伝達するためのＰＴＯ軸２とを備えている。
従来、このトラクタＴに作業機の１つとして接続される除雪装置としては、例えば、実用新案登録第３１３７９７７号公報（特許文献１），実用新案登録第２５２９４５４号公報（特許文献２），実公平６−２１９３６号公報（特許文献３）に記載されたものが知られている。図５に示すように、この除雪装置Ｓａは、回転させられて雪を集約するオーガ１００と、オーガ１００の回転主軸１０１を回転可能に軸支するとともにオーガ１００の回転主軸１０１に直交する水平軸方向の一方側を露出させ他方側を覆うオーガケース１０２と、オーガケース１０２に設けられオーガ１００によって集約された雪を回転させられて吸引してシュータ１０３から排出するブロア１０４とを備えている。オーガケース１０２の外側には、トラクタＴの接続部１にリンク１０６を介して接続される接続体１０７が設けられるとともに、トラクタＴのＰＴＯ軸２に連結杆１０８を介して連結させられてＰＴＯ軸２の回転をオーガ１００の回転主軸１０１及びブロア１０４のブロア軸に伝動するための連結部１１０が設けられている。
【０００３】
この除雪装置Ｓａを、トラクタＴに接続するときは、トラクタＴの後部において、オーガケース１０２から露出したオーガ１００をトラクタＴの後方に向けて露出するように配置し、リンク１０６を介してトラクタＴの接続部１とオーガケース１０２の接続体１０７とを接続し、連結杆１０８を介してＰＴＯ軸２と連結部１１０とを連結する。そして、この除雪装置Ｓａを接続したトラクタＴにより除雪を行うときは、運転者は後ろ向きになって後方を見ながら、トラクタＴを後進させる。これにより、ＰＴＯ軸２から連結杆１０８を介してオーガ１００の回転主軸１０１及びブロア１０４の回転が伝達され、オーガ１００によって雪が集約され、ブロア１０４によって集約された雪が吸引されてシュータ１０３から排出されていく。
【０００４】
また、従来においては、例えば、実公昭６３−１９３６４号公報（特許文献４），特開昭５７−１０４７０４号公報（特許文献５）に記載されているように、上記従来の除雪装置を、トラクタＴの前部に接続して用いることも行っている。これは、図６に示すように、上記の除雪装置ＳａをトラクタＴに接続するときは、トラクタＴの前部において、オーガケース１０２から露出したオーガ１００をトラクタＴの前方に向けて露出するように配置し、リンク１１１を介してトラクタＴの前部に設けた接続部１１２とオーガケース１０２の接続体１０７を接続し、例えば、ＰＴＯ軸２にその動力を取り出す接続機構１１３を取付け、この接続機構１１３に車体前後方向に亘る連結軸１１４を連結し、この連結軸１１４をユニバーサルジョイントなどのジョイント機構１１５を介して連結部１１０に連結する。除雪を行うときは、運転者は前向きになって前方を見ながら、トラクタＴを前進させる。これにより、ＰＴＯ軸２から接続機構１１３，連結軸１１４及びジョイント機構１１５を介してオーガ１００の回転主軸１０１及びブロア１０４に回転が伝達され、オーガ１００によって雪が集約され、ブロア１０４によって集約された雪が吸引されてシュータ１０３から排出されていく。
【先行技術文献】
【特許文献】
【０００５】
【特許文献１】実用新案登録第３１３７９７７号公報
【特許文献２】実用新案登録第２５２９４５４号公報
【特許文献３】実公平６−２１９３６号公報
【特許文献４】実公昭６３−１９３６４号公報
【特許文献５】特開昭５７−１０４７０４号公報
【発明の概要】
【発明が解決しようとする課題】
【０００６】
ところで、上記従来の除雪装置Ｓａにおいては、図５に示すように、トラクタＴの後部に接続して除雪を行う場合、運転者は後ろ向きになって後方を見ながらトラクタＴを後進させるので、操作性が悪く、首や肩などの負担が大きくなり、長時間の作業ができにくく作業性にも劣るという問題があった。
一方、この従来の除雪装置Ｓａを、図６に示すように、トラクタＴの前部に接続して除雪を行う場合には、運転者は前向きになって前方を見ながらトラクタを前進させるので、操作性や作業性は改善するが、ＰＴＯ軸２と連結部１１０とを接続する接続機構１１３，連結軸１１４及びジョイント機構１１５を別途トラクタＴに設置し、また、接続部１１２もトラクタＴの前部に別途設けなければならないので、それだけ装置が複雑になるとともに、コスト高になるという問題があった。
【０００７】
本発明は上記の問題点に鑑みて為されたもので、トラクタ側に特別な加工や機構の設置を行わなくても、運転者は前向きになって前方を見ながらトラクタを前進させることで、除雪を行うことができるようにし、操作性，作業性の向上を図った除雪装置を提供することを目的とする。
【課題を解決するための手段】
【０００８】
上記の目的を達成するための本発明の除雪装置は、後部に作業機を接続するための接続部と該作業機にエンジン動力を伝達するためのＰＴＯ軸とを備えたトラクタの当該トラクタの後部に作業機の１つとして接続される除雪装置であって、回転させられて雪を集約するオーガと、該オーガの回転主軸を回転可能に軸支するとともに該オーガの回転主軸に直交する水平軸方向の一方側を露出させ他方側を覆うオーガケースと、該オーガケースに設けられ上記オーガによって集約された雪を回転させられて排出するブロアと、上記オーガケースに設けられ上記トラクタのＰＴＯ軸に連結させられて該ＰＴＯ軸の回転を上記オーガの回転主軸及びブロアのブロア軸に伝動するための連結部とを備えた除雪装置において、上記連結部を上記オーガケースのオーガ側に設け、上記オーガケースのオーガ側に上記トラクタの接続部に接続される接続体を設けた構成としている。
【０００９】
この除雪装置を、トラクタに接続するときは、トラクタの後部において、オーガケースから露出したオーガをトラクタの前方に向けて露出するように配置し、トラクタの接続部とオーガケースの接続体を接続し、ＰＴＯ軸と連結部とを連結する。この場合、連結部はオーガケースのオーガ側に設けられ、このオーガケースのオーガ側に接続体が設けられているので、トラクタとの接続及びＰＴＯ軸との連結が容易に行われる。また、トラクタ側に特別な加工や機構の設置を行わなくてもトラクタに接続することができるので、それだけ、コストを安くすることができる。
【００１０】
そして、この除雪装置を接続したトラクタにより除雪を行うときは、運転者は前向きになって前方を見ながら、トラクタを前進させる。これにより、ＰＴＯ軸から連結部を介してオーガの回転主軸及びブロアのブロア軸に回転が伝達され、オーガによって雪が集約され、ブロアによって集約された雪が吸引されて排出されていく。オーガによって集約される雪は、トラクタは前進するのでトラクタのシャシの下側を通過する。また、雪の一部はトラクタの車輪に一度踏まれるが、オーガの一般的能力上ほとんど支障なく集約される。この場合、運転者は前向きになって前方を見ながらトラクタを前進させるので、操作性が良く、また、前向きなので首や肩に負担がかかることがなく作業性を大幅に向上させることができる。
【００１１】
より具体的には、本発明は、後部に作業機をリンクを介して接続するための接続部と該作業機にエンジン動力を伝達するためのＰＴＯ軸とを備えたトラクタの当該トラクタの後部に作業機の１つとして接続される除雪装置であって、上記トラクタの幅方向に沿う回転主軸の中央を境として左右に螺旋状の一方ブレード及び他方ブレードを夫々該回転主軸に固定し一方向に回転させられて雪を該回転主軸の中央に集約するオーガと、該オーガの回転主軸の両端を回転可能に軸支するとともに該回転主軸に直交する水平軸方向の一方側を露出させ他方側を覆うオーガケースと、該オーガケースに設けられ上記オーガの回転主軸の中央に対応した部位に開口し雪を吸入する吸入口及び排出口を有したガイド通路と、該ガイド通路の吸入口内に回転可能に設けられ集約された雪を該吸入口から吸入して上記排出口から排出させるブロアと、上記オーガケースに設けられ上記トラクタのＰＴＯ軸に連結させられて該ＰＴＯ軸の回転を上記オーガの回転主軸及びブロアのブロア軸に伝動するための連結部とを備えた除雪装置において、上記連結部を上記オーガケースのオーガ側に設け、該連結部を、上記オーガの一方ブレード及び他方ブレードの間を横断して設けられ一端が上記ブロアのブロア軸に接続され他端が上記ＰＴＯ軸に接続される連結軸を備えて構成し、上記オーガケースの外側に上記ブロアのブロア軸の回転を上記オーガの回転主軸に伝動する回転伝動機構を設け、上記オーガケースのオーガ側に上記トラクタの接続部にリンクを介して接続される接続体を設けた構成としている。
【００１２】
上記の作用，効果に加えて、連結部の連結軸はオーガの一方ブレード及び他方ブレードの間を横断して設けられるので、オーガのブレードとの干渉が確実に回避され、また、組立て上も容易になる。また、回転伝動機構がブロアのブロア軸の回転を取り出してオーガの回転主軸に伝動するので、回転の伝動効率が向上させられる。
【００１３】
そして、必要に応じ、上記トラクタの接続部は、ＰＴＯ軸の上部，左部及び右部に設けられ、上記接続体を、上記オーガケースからオーガ側に突設するフレームで構成し、該接続体に上記各接続部に対応したリンクの取付部を設けた構成としている。接続体をフレームにしたので、構造を簡易にすることができる。
【００１４】
また、必要に応じ、上記接続体に、上記連結軸を軸支する軸受部を設けた構成としている。連結軸を軸受部で保持するので強固になる。
【００１５】
更に、必要に応じ、上記トラクタの前部に取り付けられ、該トラクタの前進時に該トラクタの前輪の前方にある雪をトラクタの車幅方向中央側に掻き寄せる掻き寄せ板を設けた構成としている。トラクタの車輪に踏まれようとする雪が掻き寄せ板によってトラクタの車幅方向中央側に寄せられるので、オーガによる雪の集約を確実に行うことができるようになる。
【発明の効果】
【００１６】
本発明によれば、トラクタ側に特別な加工や機構の設置を行わなくてもトラクタに接続することができるので、それだけ、コストを安くすることができる。また、トラクタにより除雪を行うときは、運転者は前向きになって前方を見ながら、トラクタを前進させることができるので、操作性が良く、また、前向きなので首や肩に負担がかかることがなく作業性を大幅に向上させることができる。
【図面の簡単な説明】
【００１７】
【図１】本発明の実施の形態に係る除雪装置をトラクタに接続された状態で示す図である。
【図２】本発明の実施の形態に係る除雪装置の作用を示す平面図である。
【図３】本発明の実施の形態に係る除雪装置をトラクタの接続部分との関係で示す分解斜視図である。
【図４】本発明の実施の形態に係る除雪装置を示す側面一部切欠き断面図である。
【図５】従来の除雪装置をトラクタに接続された状態で示す図である。
【図６】従来の除雪装置のトラクタへの別の接続例を示す図である。
【発明を実施するための形態】
【００１８】
以下、添付図面に基づいて、本発明の実施の形態に係る除雪装置について詳細に説明する。尚、上記と同様のものには同一の符号を付して説明する。
図１乃至図４に示すように、実施の形態に係る除雪装置Ｓが接続されるトラクタＴのシャシ３には、後部にリンク４を介して作業機を接続するための接続部１と作業機にエンジン動力を伝達するためのＰＴＯ軸２とが備えられている。トラクタＴの接続部１は、ＰＴＯ軸２の上部，左部及び右部の３箇所に設けられている。符号５は座席、６は前輪、７は後輪である。実施の形態に係る除雪装置ＳはこのトラクタＴの後部に作業機の１つとして接続される。
【００１９】
詳しくは、実施の形態に係る除雪装置Ｓは、オーガ１０と、これを覆うオーガケース１４とを備えている。オーガ１０は、トラクタＴの幅方向に沿う回転主軸１１と、この回転主軸１１にその中央を境として左右に夫々固定された螺旋状の一方ブレード１２及び他方ブレード１３とを備え、回転主軸１１を中心に一方向に回転させられて雪を回転主軸１１の中央に集約する。オーガケース１４は、オーガ１０の回転主軸１１の両端を回転可能に軸支するとともに、回転主軸１１に直交する水平軸方向の一方側を露出させ他方側を覆うケース本体１５を備えている。また、オーガケース１４には、オーガ１０の回転主軸１１の中央に対応した部位に開口し雪を吸入する吸入口１６及び排出口１７を有したガイド通路１８が設けられている。ケース本体１５にはガイド通路１８が形成され先端に排出口１７を有した雪を排出するシュータ１９が突設されている。ケース本体１５に設けられたガイド通路１８の吸入口１６内には、集約された雪を吸入口１６から吸入して排出口１７から排出させるブロア２０が回転可能に設けられている。
【００２０】
また、オーガケース１４のオーガ１０側には、トラクタＴの接続部１にリンク４を介して接続される接続体３０が設けられている。接続体３０は、オーガケース１４のケース本体１５の上部からオーガ１０側に突設するフレームで構成され、回転主軸１１方向に所定間隔で離間し一端がケース本体１５に溶接等で固定され他端側が垂下したＬ状のフレーム本体３１と、フレーム本体３１間に架設された上側架設杆３２及び下側架設杆３３と、ケース本体１５の上部と上側架設杆３２との間に架設された中央架設杆３４とを備えている。接続体３０には、トラクタＴの各接続部１に対応したリンク４の取付部３５が設けられている。上側架設杆３２の中央には、ＰＴＯ軸２の上部の接続部１に対応した取付部３５が設けられ、各フレーム本体３１の他端には、夫々、ＰＴＯ軸２の左部及び右部に対応した取付部３５が設けられている。接続体３０をフレームにしたので、構造を簡易にすることができる。
【００２１】
また、オーガケース１４には、トラクタＴのＰＴＯ軸２に連結させられてＰＴＯ軸２の回転をオーガ１０の回転主軸１１及びブロア２０のブロア軸に伝動するための連結部４０が設けられている。この連結部４０は、オーガケース１４のオーガ１０側に設けられており、オーガ１０の一方ブレード１２及び他方ブレード１３の間を横断して設けられ、一端がブロア２０のブロア軸２１に接続され他端がＰＴＯ軸２に連結杆２２を介して接続される連結軸４１を備えて構成されている。この場合、連結部４０の連結軸４１はオーガ１０の一方ブレード１２及び他方ブレード１３の間を横断して設けられるので、オーガ１０のブレード１２，１３との干渉が確実に回避され、また、組立て上も容易になる。また、接続体３０には、連結軸４１を軸支する軸受部４２が設けられている。軸受部４２は、接続体３０の中央架設杆３４に垂設した支軸棒４３の先端に設けられている。連結軸４１を軸受部４２で保持するので強固になる。連結軸４１と連結杆２２はユニバーサルジョイント２３を介して連結され、連結杆２２とＰＴＯ軸２もユニバーサルジョイント２４を介して連結される。
【００２２】
更に、オーガケース１４のケース本体１５の外側には、ブロア２０のブロア軸２１の回転をオーガ１０の回転主軸１１に伝動するチェーン伝動機構等の回転伝動機構４５が設けられている。回転伝動機構４５がブロア２０のブロア軸２１の回転を取り出してオーガ１０の回転主軸１１に伝動するので、回転の伝動効率が向上させられる。
【００２３】
更にまた、実施の形態に係る除雪装置Ｓは、トラクタＴの前部に取り付けられ、トラクタＴの前進時にトラクタＴの前輪６の前方にある雪をトラクタＴの車幅方向中央側に掻き寄せる一対の掻き寄せ板５０を備えている。
【００２４】
従って、この除雪装置Ｓを、トラクタＴに接続するときは、トラクタＴの後部において、オーガケース１４から露出したオーガ１０をトラクタＴの前方に向けて露出するように配置し、トラクタＴの各接続部１とオーガケース１４の接続体３０の各取付部３５とをリンク４を介して接続する。また、ＰＴＯ軸２と連結部４０の連結軸４１とを連結杆２２を介して連結する。この場合、連結部４０はオーガケース１４のオーガ１０側に設けられ、このオーガケース１４のオーガ１０側に接続体３０が設けられているので、トラクタＴとの接続及びＰＴＯ軸２との連結が容易に行われる。また、トラクタＴ側に特別な加工や機構の設置を行わなくてもトラクタＴに接続することができるので、それだけ、コストを安くすることができる。
【００２５】
そして、この除雪装置Ｓを接続したトラクタＴにより除雪を行うときは、図１に示すように、運転者は前向きになって前方を見ながら、トラクタＴを前進させる。これにより、ＰＴＯ軸２から連結杆２２，連結部４０の連結軸４１を介してブロア２０のブロア軸２１に回転が伝達され、更に、回転伝動機構４５を介してオーガ１０の回転主軸１１に回転が伝達される。そのため、オーガ１０によって雪が集約され、ブロア２０によって集約された雪が吸引されて排出されていく。
【００２６】
この場合、トラクタＴの前部に掻き寄せ板５０が設けられているので、トラクタＴの前進時にトラクタＴの前輪６の前方にある雪は、トラクタＴの車幅方向中央側に掻き寄せられる。そのため、トラクタＴの車輪６，７に踏まれようとする雪が掻き寄せ板５０によってトラクタＴの車幅方向中央側に寄せられるので、オーガ１０による雪の集約を確実に行うことができるようになる。オーガ１０によって集約される雪は、トラクタＴは前進するのでトラクタＴのシャシ３の下側を通過して、オーガ１０に至る。
【００２７】
この除雪においては、トラクタＴの運転者は前向きになって前方を見ながらトラクタＴを前進させるので、操作性が良く、また、前向きなので首や肩に負担がかかることがなく作業性を大幅に向上させることができる。
【００２８】
尚、本発明の実施の形態において、トラクタＴの前部に掻き寄せ板５０を設けたが、必ずしもこれに限定されるものではなく、特になくてもよい。この場合、雪の一部はトラクタＴの車輪６，７に一度踏まれるが、オーガ１０の一般的能力上ほとんど支障なく集約される。
【符号の説明】
【００２９】
Ｓ  除雪装置
Ｔ  トラクタ
１  接続部
２  ＰＴＯ軸
３  シャシ
４  リンク
１０  オーガ
１１  回転主軸
１２  一方ブレード
１３  他方ブレード
１４  オーガケース
１５  ケース本体
１６  吸入口
１７  排出口
１８  ガイド通路
１９  シュータ
２０  ブロア
２１  ブロア軸
２２  連結杆
３０  接続体
３５  取付部
４０  連結部
４１  連結軸
４２  軸受部
４５  回転伝動機構
５０  掻き寄せ板
【要約】
【課題】  トラクタ側に特別な加工や機構の設置を行わなくても、運転者は前向きになって前方を見ながらトラクタを前進させることで、除雪を行うことができるようにし、操作性，作業性の向上を図る。
【解決手段】  後部に接続部１とＰＴＯ軸２とを備えたトラクタＴに接続されるもので、オーガ１０を回転可能に軸支するとともにその回転主軸１１に直交する水平軸方向の一方側を露出させ他方側を覆うオーガケース１４と、オーガケース１４に設けられ雪を排出するブロア２０と、オーガケース１４に設けられＰＴＯ軸２に連結させられてオーガ１０の回転主軸１１及びブロア２０のブロア軸２１に回転を伝動するための連結部４０としての連結軸４１とを備え、連結軸４１をオーガケース１４のオーガ１０側に設け、オーガケース１４のオーガ１０側にトラクタＴの接続部１に接続される接続体３０を設けた。
【選択図】  図１【図１】
0005658847.tif 000002
【図２】
0005658847.tif 000003
【図３】
0005658847.tif 000004
【図４】
0005658847.tif 000005
【図５】
0005658847.tif 000006
【図６】
0005658847.tif 000007